(57)【要約】【課題】  安定して正、負のイオンの生成を確保して、オゾンの発生を抑制できるイオン生成装置を提供する。【解決手段】  放電電極２、高周波高電圧発生装置３、及び高圧ケーブル４からなり、放電電極２を、１又は複数の導電性の針状電極６と、該針状電極に対向して設けられた導電性の接地電極７とで構成し、高周波高電圧発生装置３の高周波高電圧出力を放電電極２の針状電極６に印加し、該針状電極６でコロナ放電を発生させ、正、負の空気イオンを生成するイオン生成装置１において、高周波高電圧発生装置３は電源回路８、高周波発振回路９、昇圧トランス１０及びタイマ回路１１を備える。電源回路８により高周波発振回路９を駆動し、高周波発振回路９の出力により昇圧トランス１０で高周波高電圧を発生させ、これを高圧ケ−ブルを介して放電電極２の針状電極６に印加するときに、タイマ回路１１により高周波発振回路９の出力を周期的にオン、オフする。【選択図】  図１
2010044876.tif 000002
【特許請求の範囲】
【請求項１】
放電電極、高周波高電圧発生装置、及び高圧ケーブルからなり、該放電電極を１又は複数の導電性の針状電極と、該針状電極に対向して設けられた導電性の接地電極とで構成し、該高周波高電圧発生装置の高周波高電圧出力を該放電電極の該針状電極に印加し、該針状電極でコロナ放電を発生させ、正、負の空気イオンを生成するイオン生成装置において、
前記高周波高電圧発生装置は電源回路装置、高周波発振回路装置、昇圧トランス及びタイマ回路装置を備え、該電源回路装置により該高周波発振回路装置を駆動し、該高周波発振回路装置の出力により該昇圧トランスで高周波高電圧を発生させ、これを高圧ケ−ブルを介して該放電電極の該針状電極に印加するときに、該タイマ回路装置により該高周波発振回路装置の出力を周期的にオン、オフすることを特徴とするイオン生成装置。
【請求項２】
請求項１記載のイオン生成装置において、前記高周波高電圧発生装置の昇圧トランスが圧電トランスであることを特徴とするイオン生成装置。
【請求項３】
請求項１記載のイオン生成装置において、前記高周波高電圧発生装置の昇圧トランスが巻線トランスであることを特徴とするイオン生成装置。
【請求項４】
請求項１乃至３のいずれか１項記載のイオン生成装置において、前記放電電極の針状電極と該高圧ケーブルを容量を介して接続することを特徴とするイオン生成装置。
【請求項５】
請求項１乃至４のいずれか１項記載のイオン生成装置において、前記放電電極、高周波高電圧発生装置、高圧ケーブル及び送風機を一つの筐体に内蔵し、該筐体に空気取入れ口と空気吹出し口とを設け、該空気取入れ口に送風機を配置し、該空気吹出し口に該放電電極を設け、該放電電極の針状電極で生成した空気イオンを該送風機により生成する空気流により移送することを特徴とするイオン生成装置。
【請求項６】
請求項１乃至４のいずれか１項記載のイオン生成装置において、圧縮空気を噴出させる空気ノズルの空気通路に放電電極を内蔵し、該放電電極の針状電極で生成した空気イオンを該空気ノズルからの空気噴流により移送することを特徴とするイオン生成装置。
【請求項７】
請求項１乃至６のいずれか１項記載のイオン生成装置において、前記高周波高電圧発生装置の高電圧出力をオン、オフする周波数を10〜1,000Hzの範囲とし、１周期の内の出力をオンする期間の比（デューティー比）を0.4〜0.9の範囲とすることを特徴とするイオン生成装置。
【発明の詳細な説明】
【技術分野】
【０００１】
本発明は、帯電物体の静電気を中和して除電するのに適した正及び負の空気イオンを、空気中でコロナ放電を発生させて生成するイオン生成装置に関する。
【背景技術】
【０００２】
従来、放電電極を構成する、導電性の針状電極と、これに対向する導電性の接地電極との間に高電圧を印加して、該針状電極にて発生するコロナ放電により、空気をイオン化して空気イオンを生成するイオン生成装置が知られている。この種のイオン生成装置は、生成した空気イオンによって帯電物体の電荷を中和することが可能であることから、一般に、帯電物体の静電気を除去する除電装置として使用される。
【０００３】
前記放電電極の針状電極には高電圧発生装置が接続されて、直流或いは交流電圧が印加される。針状電極に直流電圧を印加する場合には、電圧の正、負に従ってそれぞれ正、負のイオンが発生するので、正の電圧を印加する正の針状電極と負の電圧を印加する負の針状電極を、それぞれ１ないし２以上設置する必要がある。ここで、正の電荷によって帯電している帯電物体は、前記負の針状電極から発生する負のイオンにより中和、除電され、負の電荷によって帯電している帯電物体は、前記正の針状電極から発生する正のイオンにより中和、除電される。このとき、正、負のイオンの発生バランスがとれていないと、イオン量が不足の場合は中和が不十分で帯電物体の電荷の残留が起き、また、イオン量が過剰の場合は逆帯電が起きるので、イオンの生成量の正確な制御が必要となる不都合がある。
【０００４】
一方、針状電極に交流電圧を印加した場合には、該電圧の正、負に従って正、負のイオンが交互に発生する。このため、帯電物体の電荷が正、負のいずれであっても中和することができ、更に、例えば、過剰に生成された正のイオンが残留しても、その後に生成された負のイオンによって中和されるので、前記直流の場合に比して、イオンの生成量の正確な制御を行うことなく除電を行うことができる。このように交流電圧印加の場合は、直流電圧印加の場合に比べてイオンバランスは良好であるが、電源装置が大型で、重量のあるものとなってしまう不都合がある。
【０００５】
大きさと重量が直流電源並の交流電源としては、高周波トランスがある。ここで言う高周波は大体10kHzから100kHzの周波数で、一般のMHz、GHzの高周波ではない。この高周波トランスには巻線トランス（例えば、特許文献１参照）と圧電トランス（例えば、特許文献２参照）がある。どちらも小型、軽量であるが、特に圧電セラミックス素子を応用する圧電トランスは小型、軽量にできる。数十kHzの高周波コロナ放電は商用周波のものより低い電圧で放電が開始し、生成イオン量が多いが、イオンとともに発生するオゾンの量が商用周波のものより多いという不都合がある。
【特許文献１】特開昭６２−８６６９９号公報（高周波除電装置）
【特許文献２】特開２００１−８５１８９公報（イオン発生装置）
【発明の開示】
【発明が解決しようとする課題】
【０００６】
本発明は、かかる不都合を解消して、安定して正、負のイオンの生成を確保して、オゾンの発生を抑制できるイオン生成装置を提供することを目的とする。
【課題を解決するための手段】
【０００７】
上記目的を達成するために、本発明は、連続的な高周波コロナ放電において、放電状態を周期的にオン、オフして、放電の休止時間を設けることによりオゾンの発生量を低減するものである。
【０００８】
高周波コロナ放電においては、イオンの発生とオゾンの発生は放電電流に比例すると考えられていた。本発明者らは、高周波コロナ放電を周期的にオン、オフして、放電の休止時間を設けると、オゾンは確実に放電時間に比例して減少するが、有効なイオン量はそれほど減少することがなく、条件によってはイオン量が増大するという実験的知見により、本発明の発想を得た。
【０００９】
本発明は、放電電極、高周波高電圧発生装置、及び高圧ケーブルからなり、該放電電極を１乃至複数の導電性の針状電極と、該針状電極に対向して設けられた導電性の接地電極とで構成し、該高周波高電圧発生装置の高周波高電圧出力を該放電電極の該針状電極に印加し、該針状電極でコロナ放電を発生させ、正、負の空気イオンを生成するイオン生成装置において、前記高周波高電圧発生装置は電源回路装置、高周波発振回路装置、昇圧トランス及びタイマ回路装置を備え、該電源回路装置により該高周波発振回路装置を駆動し、該高周波発振回路装置の出力により該昇圧トランスで高周波高電圧を発生させ、これを高圧ケ−ブルを介して該放電電極の該針状電極に印加するときに、該タイマ回路装置により該高周波発振回路装置の出力を周期的にオン、オフすることを特徴とする。
【００１０】
本発明において、前記高周波高電圧発生装置の昇圧トランスは、巻線トランス、或いは圧電トランスとしても良い。
【００１１】
また、前記放電電極の針状電極と前記高圧ケーブルとを容量を介して接続することができる。
【００１２】
また、前記放電電極、高周波高電圧発生装置、高圧ケーブル及び送風機を一つの筐体に内蔵し、該筐体に空気取入れ口と空気吹出し口とを設け、該空気取入れ口に送風機を配置し、また、該空気吹出し口に該放電電極を設け、該放電電極の針状電極で生成した空気イオンを該送風機により生成する空気流により移送しても良い。
【００１３】
また、本発明では、圧縮空気を噴出させる空気ノズルの空気通路に放電電極を内蔵し、該放電電極の針状電極で生成した空気イオンを該空気ノズルからの空気噴流により移送しても良い。
【００１４】
また、前記高周波高電圧発生装置の高電圧出力をオン、オフする周波数を10〜1,000Hzの範囲とし、１周期の内の出力のオン期間の比（デューティ比）を0.4〜0.9の範囲とすることができる。
【発明の効果】
【００１５】
本発明によれば、有効な空気イオンの発生を減らすことなく、良好な除電時間を保ちつつ、オゾン濃度の生成を抑制できるイオン生成装置を提供でき、高周波コロナ放電式イオン生成装置の普及を拡大することができる。
【発明を実施するための最良の形態】
【００１６】
図１は、本発明の第１の実施形態のイオン生成装置の概略構成図、図２は高周波高電圧発生装置の高電圧出力の時間変化を示す説明図、図３は第４の実施形態の放電電極の概略構造を一部断面にて示した説明図、図４は図３のＩＶ−ＩＶ線断面図、図５は第５の実施形態のイオン生成装置の概略構成を断面にて示した説明図、図６は第６の実施形態のイオン生成装置の概略構成を一部断面にして示した説明図である。
【００１７】
図１に示すように、第１の実施形態のイオン生成装置１は、放電電極２、高周波高電圧発生装置３、及び高圧ケーブル４からなる。放電電極２は電極部材５に１乃至複数の導電性の針状電極６を並べて嵌め込み、該針状電極５に対向して導電性の接地電極７を設ける。高周波高電圧発生装置３は電源回路装置８、高周波発振回路装置９、昇圧トランス１０及びタイマ回路装置１１からなり、該電源回路装置８により該高周波発振回路装置９を駆動し、該高周波発振回路装置９の出力により該昇圧トランス１０で高周波高電圧を発生させ、これを高圧ケ−ブル４を介して該放電電極２の該針状電極６に印加するもので、このとき、該タイマ回路装置１１により高周波発振回路装置３の出力を周期的にオン、オフすることを特徴とする。
【００１８】
高周波高電圧発生装置３の高周波高電圧出力は、図２に示すように、一定の期間Ｔ(sec）においてオン期間Ｔon(sec）とオフ期間Ｔoff(sec）があり、オン期間Ｔonでの出力は数十kHzの高周波高電圧であり、オフ期間Ｔoffでの出力はゼロとなる。ここで、出力をオン、オフする期間Ｔの逆数（1/Ｔ）はオン、オフの周波数fと表わし、期間Ｔの内のオン期間Ｔonの比δ（Ｔon/Ｔ）をデューティ比と呼ぶ。
【００１９】
本発明によれば、このような周期的に一時休止する高周波高電圧を該放電電極２の該針状電極６に印加し、該針状電極６でコロナ放電を発生させ、正、負の空気イオンを生成する。
【００２０】
第１の実施形態のイオン生成装置１では、前記高周波高電圧発生装置３の昇圧トランス１０を巻線トランスとしても良く、また、圧電トランスとしても良い。
【００２１】
次に図３及び図４を参照して、第２の実施形態のイオン生成装置１aは、前記放電電極２aの形状を、例えば棒状として示す。放電電極２aは、高圧ケーブル４の芯線１２を覆う絶縁材１３の外周に、複数の金属製の集電環１４を一定間隔で配し、該集電環１４の外側を絶縁物製のケース１５で被覆し、該集電環１４に針状電極６を該ケース１５の外から貫通して嵌め込み、該ケース１５の両端にエンドフランジ１６とリードフランジ１７を配置し、該エンドフランジ１６と該リードフランジ１７に接地電極７を固定し、該針状電極６と該接地電極７が対向するように構成した構造である。ここで、高圧ケーブル４の該芯線５と該集電環１４は、絶縁材１３を介して二重円筒型のコンデンサを形成しており、芯線５と集電環１４を電気的に小さな容量で結合することにより、針状電極６からの放電電流を安全な範囲に制限することができる。
【００２２】
本発明の第３の実施形態のイオン生成装置１bでは、図５に示すように、一つの筐体１８内に、放電電極２b、高周波高電圧発生装置３、高圧ケーブル４及び送風機１９を内蔵し、該筐体１８に空気取入れ口２０と空気吹出し口２１とを設け、該空気取入れ口２０に送風機１９を配置し、また、該空気吹出し口２１に該放電電極２bを設け、該放電電極２bの針状電極６で生成した空気イオンを該送風機１９により生成する空気流により移送することを特徴とする。
【００２３】
本発明の第４の実施形態のイオン生成装置１cでは、図６に示すように、圧縮空気管２２から圧縮空気が供給され、圧縮空気を噴出させる空気ノズル２３の空気通路２４に放電電極２cを内蔵し、該放電電極２cの針状電極６で生成した空気イオンを該空気ノズル２３からの空気噴流により移送することを特徴とする。
【００２４】
次に、以上のように構成されたイオン生成装置の除電特性とオゾン生成特性について説明する。
【００２５】
イオン生成装置としては、例えば第３の実施形態の送風機で空気イオンを移送するイオン生成装置１bを用いる。図７は、イオン生成装置の除電特性を計測する試験装置の構成を示し、図８は、イオン生成装置のオゾン生成特性を計測する試験装置の構成を示す。
【００２６】
除電特性については、図７において帯電プレートモニタを用いて、除電時間を測定した。帯電プレートモニタ２５は、本体２６に150 mm角の金属製プレート（帯電物体）２７が絶縁物２８を介して取り付けてある。該金属製プレート２７は除電すべき帯電物体を模擬するものである。本体２６には、表面電位測定装置２９、高電圧電源３０及びタイマ３１が内蔵されていて、金属製プレート２７に高電圧電源３０を用いて電荷を与えることができ、また、金属製プレート２７の電圧は表面電位測定装置２９により測定できるとともに電圧の減衰する時間（除電時間）をタイマ３１で測定できる。
【００２７】
図７に示すよう、卓上にイオン生成装置1bを設置し、その前面、L = 300mmの距離の位置に帯電プレートモニタ２５を置き、イオン生成装置1bからの空気イオンを含んだ空気を帯電プレートモニタ２５の金属製プレート２７に吹き当てる。金属製プレート２７を高電圧電源３０により±1,000Vに帯電させ、これにイオン生成装置1bからの空気イオンを供給して中和し、±100Vまで低下するに要する減衰時間（除電時間）がタイマ３１で測定できる。
【００２８】
オゾン生成特性については、図８において大気中オゾン濃度計を用いて、オゾン濃度を測定した。図８に示すように、卓上にイオン生成装置1bを設置し、その前面、L = 300mmの距離の位置に大気中オゾン濃度計３２のサンプリング管３３を配置し、オゾン濃度を測定した。
【００２９】
イオン生成装置１bの仕様は、高周波高電圧発生装置は圧電トランスを採用したもので、その出力は電圧７kＶp-p、周波数68kHzである。送風機は、直径12cmのモータファンで、その前面すべてが空気吹き出し口となっている。最大風量は3.3m3/minで、風量は連続的に変えられるので、大、中、小の３段階に変えた。試験のパラメータは、高電圧出力を休止する周波数ｆと、オン・オフのデューティ比δとした。
【００３０】
図９及び図１０は、イオン生成装置の除電時間及びオゾン濃度と周波数fの関係を示す。周波数fが10Hzから1,000Hzの範囲では、周波数fが高いほど、除電時間が短くなり、オゾン濃度が低くなる。人間が知覚できる音の周波数は20Hzから20kHzまでであり、特に感度が良いのは1,000Hzから3,500Hzとのことなので、うるさい音を発生させないためには、周波数fは1,000Hzを超えないほうが良い。
【００３１】
図１１及び図１２は、イオン生成装置の除電時間及びオゾン濃度とデューティ比δの関係を示す。除電時間は、デューティ比δ＝0.8近傍で最小値をもつ特性を示す。一方、オゾン濃度は、デューティ比δが小さくなるほど低くなる。オゾン濃度は、オン期間に単純に比例すると考えられる。デューティ比δは、除電時間を優先するときには大きめ、オゾン濃度を優先するときには小さめに選択できる。
【００３２】
以上の知見から、本発明の第５の実施形態のイオン生成装置１dでは、前記高周波高電圧発生装置３の高電圧出力を休止するときの周波数を10〜1,000Hzの範囲とし、１周期の内の出力のオン期間の比（デューティ比）を0.4〜0.9の範囲とする。
【図面の簡単な説明】
【００３３】
【図１】第１の実施形態のイオン生成装置の概略構成図。
【図２】本発明の高周波高電圧発生装置の高電圧出力の時間変化を示す説明図。
【図３】第２の実施形態の放電電極の概略構造図で、一部断面にて示した説明図。
【図４】図３のＩＶ−ＩＶ線断面図。
【図５】第３の実施形態のイオン生成装置の概略構成を断面にて示した説明図。
【図６】第４の実施形態のイオン生成装置の概略構成を一部断面にして示した説明図。
【図７】イオン生成装置の除電特性を計測する装置の概略構成図。
【図８】イオン生成装置のオゾン生成特性を計測する装置の概略構成図。
【図９】本発明のイオン生成装置の除電特性と周波数の関係を示す図。
【図１０】本発明のイオン生成装置のオゾン生成特性と周波数の関係を示す図。
【図１１】本発明のイオン生成装置の除電特性とデューティ比の関係を示す図。
【図１２】本発明のイオン生成装置のオゾン生成特性とデューティ比の関係を示す図。
【符号の説明】
【００３４】
１，１a，１b，１c，１d・・・イオン生成装置、２，２a，２b，２c・・・放電電極、３・・・高周波高電圧発生装置、６・・・針状電極、７・・・接地電極、８・・・電源回路装置、９・・・高周波発振回路装置、１０・・・昇圧トランス、１１・・・タイマ回路装置、１２・・・芯線、１４・・・集電環、１９・・・送風機、２３・・・空気ノズル。
【図１】
2010044876.tif 000003
【図２】
2010044876.tif 000004
【図３】
2010044876.tif 000005
【図４】
2010044876.tif 000006
【図５】
2010044876.tif 000007
【図６】
2010044876.tif 000008
【図７】
2010044876.tif 000009
【図８】
2010044876.tif 000010
【図９】
2010044876.tif 000011
【図１０】
2010044876.tif 000012
【図１１】
2010044876.tif 000013
【図１２】
2010044876.tif 000014